(57)【要約】【課題】  複数の発光素子を使用して実潜像ライン位置で光線照射を行い虚潜像ライン位置での静電潜像を形成する場合における虚潜像ライン位置の位置ずれを抑制する。【解決手段】  露光装置２ａ〜２ｄは、複数の発光素子を有する光源２１を使用して、インターリーブ走査方式で虚潜像ライン位置で静電潜像を形成する。そして、コントローラー３１は、各主走査方向位置でのその複数の発光素子からの光線のビーム径に対応して、その複数の発光素子からの光線による露光エネルギー密度分布が互いに一致または最も近づくように、虚潜像ライン位置で静電潜像を形成する際の発光素子の１ドットあたりの発光時間を個別的に補正する。【選択図】  図２
2020118854.tif 000002
【特許請求の範囲】
【請求項１】
感光体ドラムと、
複数の発光素子で複数の光線を発光させて前記感光体ドラムに照射して静電潜像を形成する露光装置と、
前記静電潜像にトナーを付着させてトナー像を生成する現像装置と、
前記露光装置を制御するコントローラーとを備え、
前記露光装置は、実潜像ライン位置で前記複数の光線を主走査方向に走査しつつ照射して実潜像ライン位置で前記静電潜像を形成するとともに、複数の実潜像ライン位置で前記複数の光線を主走査方向に走査しつつ照射して前記実潜像ライン位置の間の虚潜像ライン位置で前記静電潜像を形成し、
前記コントローラーは、各主走査方向位置での前記複数の発光素子からの光線のビーム径に対応して、前記複数の発光素子からの光線による露光エネルギー密度分布が互いに一致または最も近づくように、虚潜像ライン位置で前記静電潜像を形成する際の前記発光素子の１ドットあたりの発光時間を個別的に補正すること、
を特徴とする画像形成装置。
【請求項２】
前記複数の発光素子からの複数の光線は、実潜像ライン位置において、各時点で主走査方向の互いに異なる位置で、前記感光体ドラム上に照射され、
前記コントローラーは、（ａ）前記複数の光線の照射位置のうちの主走査方向で最も先行している位置に照射される光線の発光素子を先行発光素子として特定し、（ｂ）前記先行発光素子のために、虚潜像ライン位置で前記静電潜像を形成する際の１ドットあたりの発光時間の補正量を特定して前記補正量で前記発光時間を補正し、（ｃ）前記先行発光素子の前記発光時間の補正量を特定する際に、併せて、当該主走査方向で最も先行している位置での残りの発光素子の前記発光時間の補正量を特定し、（ｄ）前記残りの発光素子からの光線の照射位置が当該主走査方向で最も先行している位置に到達したときに、既に特定されている当該残りの発光素子の前記補正量で当該残りの発光素子の前記発光時間を補正すること、
を特徴とする請求項１記載の画像形成装置。
【請求項３】
前記コントローラーは、（ａ）主走査方向の各位置での前記先行発光素子の前記発光時間の補正量を示すメイン補正データに基づいて、前記先行発光素子の前記発光時間の補正量を特定し、（ｂ）所定の温度センサーにより検出された前記露光装置の環境温度に対応する温度補正係数で前記先行発光素子の前記発光時間の補正量を補正し、（ｃ）主走査方向の各位置での前記先行発光素子の前記発光時間の補正量と前記残りの発光素子の前記発光時間の補正量との差または比率を示すサブ補正データに基づいて、前記温度補正係数で補正された前記先行発光素子の前記発光時間の補正量から前記残りの発光素子の前記発光時間の補正量を特定することを特徴とする請求項２記載の画像形成装置。
【請求項４】
前記コントローラーは、前記複数の発光素子からの光線による露光エネルギー密度分布が所定の基準径での露光エネルギー密度分布に一致または最も近づくように、前記複数の発光素子の前記発光時間をそれぞれ補正し、
前記基準径は、前記複数の発光素子のうちの最もビーム径が小さい発光素子のビーム径の主走査方向における最小値以下の所定値であること、
を特徴とする請求項１から請求項３のうちのいずれか１項記載の画像形成装置。
【発明の詳細な説明】
【技術分野】
【０００１】
本発明は、画像形成装置に関するものである。
【背景技術】
【０００２】
ある画像形成装置では、擬似高解像度化の手段として、インターリーブ走査方式が採用され、実潜像ライン位置で物理的に光線を走査し、２つの実潜像ライン位置の間における虚潜像ライン位置で、感光体ドラム上に静電潜像を形成している（例えば特許文献１参照）。つまり、虚潜像ライン位置では物理的に光線を走査せずに、虚潜像ライン位置での静電潜像が形成される。
【先行技術文献】
【特許文献】
【０００３】
【特許文献１】特開２００７−２７４０９８号公報
【発明の概要】
【発明が解決しようとする課題】
【０００４】
ある画像形成装置は、複数の発光素子を使用して、複数の実潜像ライン位置で光線を並行して走査しつつ照射する。その場合、複数の発光素子のバラツキ（個体差）や発光素子から感光体ドラムまでの光学系に起因して、主走査方向の各位置で、複数の発光素子からの光線による感光体ドラム上でのビーム径が互いに異なる可能性がある。
【０００５】
そのように主走査方向のある位置において、複数の実潜像ラインでのビーム径が互いに異なると、複数の実潜像ラインへの光線照射に起因する副走査方向における光量分布（つまり、露光エネルギー密度分布）が互いに同一ではなくなり、虚潜像ラインに形成される露光エネルギー密度分布の中心（ピーク位置）が、それらの実潜像ラインの中央ではなくなり偏位してしまう。この偏位は、虚潜像ラインの位置ずれとしてプリント画像に現れるため、好ましくない。
【０００６】
本発明は、上記の問題に鑑みてなされたものであり、複数の発光素子を使用して実潜像ライン位置で光線照射を行い虚潜像ライン位置での静電潜像を形成する場合における虚潜像ライン位置の位置ずれを抑制する画像形成装置を得ることを目的とする。
【課題を解決するための手段】
【０００７】
本発明に係る画像形成装置は、感光体ドラムと、複数の発光素子で複数の光線を発光させて前記感光体ドラムに照射して静電潜像を形成する露光装置と、前記静電潜像にトナーを付着させてトナー像を生成する現像装置と、前記露光装置を制御するコントローラーとを備える。前記露光装置は、実潜像ライン位置で前記複数の光線を主走査方向に走査しつつ照射して実潜像ライン位置で前記静電潜像を形成するとともに、複数の実潜像ライン位置で前記複数の光線を主走査方向に走査しつつ照射して前記実潜像ライン位置の間の虚潜像ライン位置で前記静電潜像を形成する。そして、前記コントローラーは、各主走査方向位置での前記複数の発光素子からの光線のビーム径に対応して、前記複数の発光素子からの光線による露光エネルギー密度分布が互いに一致または最も近づくように、虚潜像ライン位置で前記静電潜像を形成する際の前記発光素子の１ドットあたりの発光時間を個別的に補正する。
【発明の効果】
【０００８】
本発明によれば、複数の発光素子を使用して実潜像ライン位置で光線照射を行い虚潜像ライン位置での静電潜像を形成する場合における虚潜像ライン位置の位置ずれを抑制する画像形成装置が得られる。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る画像形成装置の機械的な内部構成の一部を示す側面図である。
【図２】図２は、図１における露光装置２ａの構成およびその周辺の電子回路の構成の一例を示す図である。
【図３】図３は、擬似高解像度化技術を説明する図である。
【図４】図４は、図２における光源２１が２つの発光素子のビーム径（副走査方向のビーム径）が同一である場合の実潜像ライン位置および虚潜像ライン位置のピッチを説明する図である。
【図５】図５は、主走査方向の各位置での発光素子間のビーム径の違いについて説明する図である。
【図６】図６は、ビーム径と露光エネルギーとの対応関係を説明する図である。
【発明を実施するための形態】
【００１１】
以下、図に基づいて本発明の実施の形態を説明する。
【００１２】
図１は、本発明の実施の形態に係る画像形成装置の機械的な内部構成の一部を示す側面図である。図１に示す画像形成装置は、プリンター、ファクシミリ装置、複写機、複合機などといった、電子写真方式の印刷機能を有する装置である。
【００１３】
この実施の形態の画像形成装置は、タンデム方式のカラー現像装置を有する。このカラー現像装置は、感光体ドラム１ａ〜１ｄ、露光装置２ａ〜２ｄおよび現像装置３ａ〜３ｄを有する。感光体ドラム１ａ〜１ｄは、シアン、マゼンタ、イエローおよびブラックの４色の感光体である。
【００１４】
露光装置２ａ〜２ｄは、レーザー光線を感光体ドラム１ａ〜１ｄに照射して静電潜像を形成する。露光装置２ａ〜２ｄは、レーザー光線の光源であるレーザーダイオード、そのレーザー光線を感光体ドラム１ａ〜１ｄへ導く光学素子（レンズ、ミラー、ポリゴンミラーなど）を有する。
【００１５】
各露光装置２ａ〜２ｄは、複数の発光素子で複数の光線を発光させて感光体ドラム１ａ〜１ｄに照射して静電潜像を形成する。
【００１６】
さらに、感光体ドラム１ａ〜１ｄの周囲には、スコロトロン等の帯電器、クリーニング装置、除電器などが配置されている。クリーニング装置は、１次転写後に、感光体ドラム１ａ〜１ｄ上の残留トナーを除去し、除電器は、１次転写後に、感光体ドラム１ａ〜１ｄを除電する。
【００１７】
現像装置３ａ〜３ｄには、シアン、マゼンタ、イエローおよびブラックの４色のトナーが充填されているトナーカートリッジがそれぞれ装着され、トナーカートリッジからトナーが供給され、キャリアとともに現像剤を構成する。現像装置３ａ〜３ｄは、そのトナーを感光体ドラム１ａ〜１ｄ上の静電潜像に付着させてトナー像を形成する。
【００１８】
このように、各現像装置３ａ〜３ｄは、感光体ドラム１ａ〜１ｄ上の静電潜像にトナーを付着させてトナー像を生成する。
【００１９】
感光体ドラム１ａ、露光装置２ａ、および現像装置３ａにより、マゼンタの現像が行われ、感光体ドラム１ｂ、露光装置２ｂ、および現像装置３ｂにより、シアンの現像が行われ、感光体ドラム１ｃ、露光装置２ｃ、および現像装置３ｃにより、イエローの現像が行われ、感光体ドラム１ｄ、露光装置２ｄ、および現像装置３ｄにより、ブラックの現像が行われる。
【００２０】
中間転写ベルト４は、感光体ドラム１ａ〜１ｄに接触し、感光体ドラム１ａ〜１ｄ上のトナー画像を１次転写される環状の像担持体である。中間転写ベルト４は、駆動ローラー５に張架され、駆動ローラー５からの駆動力によって、感光体ドラム１ｄとの接触位置から感光体ドラム１ａとの接触位置への方向へ周回していく。
【００２１】
転写ローラー６は、搬送されてくる用紙を中間転写ベルト４に接触させ、中間転写ベルト４上のトナー画像を用紙に２次転写する。なお、トナー画像を転写された用紙は、定着器９へ搬送され、トナー画像が用紙へ定着される。
【００２２】
ローラー７は、クリーニングブラシを有し、クリーニングブラシを中間転写ベルト４に接触させ、用紙へのトナー画像の転写後に中間転写ベルト４に残ったトナーを除去する。
【００２３】
センサー８は、現像されたトナー像の濃度を測定する光学式センサーであって、中間転写ベルト４に光線を照射し、その反射光を検出する。例えば、各種調整の際、センサー８は、中間転写ベルト４の所定箇所に光線を照射しその反射光を検出し、その所定箇所を通過するパッチ画像（均一濃度の所定形状のトナー画像）に応じた電気信号を出力する。
【００２４】
レジストローラー１０は、給紙トレイなどから１次給紙で搬送されてくる用紙を一時停止させ、２次給紙タイミングでその用紙を中間転写ベルト４および転写ローラー６による転写位置へ搬送する。２次給紙タイミングは、その用紙上の指定された位置に中間転写ベルト４上のトナー画像が転写されるように指定される。レジストセンサー１１は、レジストローラー１０の近傍に設置され、用紙がレジストローラー１０（レジストレーション位置）へ到達したことを光学的に検出するセンサーである。
【００２５】
図２は、図１における露光装置２ａの構成およびその周辺の電子回路の構成の一例を示す図である。なお、図２に示す露光装置は、感光体ドラム１ａ用の露光装置２ａであり、感光体ドラム１ｂ〜１ｄ用の露光装置２ｂ〜２ｄも同様の構成を有する。
【００２６】
図２において、光源２１は、複数の光線を発する複数の発光素子を有する光源である。
ここでは、光源２１は、モノリシック２ビーム半導体レーザーである。光学系２２は、光源２１からポリゴンミラー２３までの間、および／またはポリゴンミラー２３から感光体ドラム１ａおよびＰＤセンサー２４までの間に配置された各種レンズ群である。光学系２２には、ｆθレンズなどが使用される。
【００２７】
また、ポリゴンミラー２３は、感光体ドラム１ａの軸に対して垂直な軸を有し、その軸に垂直な断面が多角形であり、その側面がミラーとなっている素子である。ポリゴンミラー２３は、その軸を中心に回転し、光源２１から出射したレーザー光線を感光体ドラム１ａの軸方向（主走査方向）に沿って走査する。ポリゴンモーターユニット２３ａは、コントローラー３１からの制御信号に従ってポリゴンミラー２３を回転させる。
【００２８】
また、ＰＤセンサー２４は、主走査同期信号を生成するためにポリゴンミラー２３により走査されているレーザー光線を所定位置で受光するセンサーである。ＰＤセンサー２４は、光が入射すると、光量に応じた出力電圧を誘起する。ＰＤセンサー２４は、光が走査される線上の所定の位置に配置され、光のスポットがその位置を通過するタイミングを検出し、そのタイミングで形成されるパルスを主走査同期信号として出力する。
【００２９】
コントローラー３１は、ＡＳＩＣ（Application Specific Integrated Circuit）やコンピューターなどを備え、当該画像形成装置の内部装置の制御やデータ処理などを行い、プリントすべき画像の画像データに従って、露光装置２ａ〜２ｄ（光源２１、ドライバー回路３２など）を制御し、画像形成のためにレーザー光線で感光体ドラム１ａ〜１ｄを露光する。
【００３０】
ドライバー回路３２は、光源２１を制御してレーザー光線を出射させる回路である。ドライバー回路３２は、主走査同期信号に同期して、コントローラー３１により指定された時間的パターンで発光するように光源２１を制御する。ドライバー回路３２は、コントローラー３１からの制御信号に従って、光源２１の複数の発光素子に対してそれぞれ個別的に発光制御（一定光量での発光のオンオフ）を行う。
【００３１】
図３は、擬似高解像度化技術を説明する図である。図３に示すように、露光装置２ａは、擬似高解像度化技術を使用して静電潜像を形成する。具体的には、この露光装置２ａは、複数の実潜像ライン位置で複数のレーザー光線を照射して実潜像ライン位置で静電潜像を形成するとともに、複数（ここでは２つ）の実潜像ライン位置でレーザー光線を照射してその複数（ここでは２つ）の実潜像ライン位置の間の虚潜像ライン位置で静電潜像を形成する。なお、実潜像ライン位置のレーザー光線の光量（強度または照射時間）を調整することで、実潜像ライン位置でトナー像が現像されずに虚潜像ライン位置でトナー像が現像されるように、静電潜像が形成される。
【００３２】
さらに、コントローラー３１は、各主走査方向位置での、光源２１の複数の発光素子からの光線のビーム径に対応して、その複数の発光素子からの光線による露光エネルギー密度分布（特に、副走査方向の露光エネルギー密度分布）が互いに一致または最も近づくように、虚潜像ライン位置で静電潜像を形成する際の発光素子の１ドットあたりの発光時間を個別的に補正する。
【００３３】
この実施の形態では、コントローラー３１は、光源２１の複数の発光素子からの光線による露光エネルギー密度分布が所定の基準径での露光エネルギー密度分布に一致または最も近づくように、光源２１の複数の発光素子の発光時間をそれぞれ補正する。これにより、その複数の発光素子からの光線による露光エネルギー密度分布（特に、副走査方向の露光エネルギー密度分布）が互いに一致するか最も近づく。
【００３４】
図４は、図２における光源２１が２つの発光素子のビーム径（副走査方向のビーム径）が同一である場合の実潜像ライン位置および虚潜像ライン位置のピッチを説明する図である。図４に示すように、ビーム径が同一である場合、実潜像ライン位置および虚潜像ライン位置のピッチは均一になる。一方、ビーム径が同一ではない場合、露光エネルギー密度分布が発光素子間で異なり、それらの合成として得られる虚潜像ラインの露光エネルギー密度分布の中心（ピーク位置）が、その虚潜像ラインに隣接する２つの実潜像ラインの間の中央からずれる。つまり、実潜像ライン位置と隣接する実潜像ライン位置とのピッチの一方が狭くなり他方が広くなる。
【００３５】
したがって、コントローラー３１は、ビーム径の大きい発光素子の１ドットあたりの発光時間を、ビーム径の小さい発光素子の発光時間より長くして、両者の発光光量を互いに近づける。
【００３６】
なお、１ドット（１画素）あたり発光時間（時間長）は、例えば８ビットの信号でコントローラー３１によりドライバー回路３２により指定され、２５６段階で調整可能となっている。
【００３７】
図５は、主走査方向の各位置での発光素子間のビーム径の違いについて説明する図である。図６は、ビーム径と露光エネルギーとの対応関係を説明する図である。通常、主走査方向および副走査方向における光線の強度分布（つまり、露光エネルギー密度分布）は略ガウス分布となっており、光線強度が所定値（例えばピークの１３．５％）となる幅がビーム径とされる。例えば図５に示すように、光学系２２に起因して、各発光素子のビーム＃１，＃２のビーム径が主走査方向に沿って変化する。
【００３８】
また、発光素子の特性の違いなどに起因して、発光素子間でビーム径（副走査方向のビーム径）に違いが生じる。そして、例えば図６に示すように、基準径Ｄｒからビーム径が大きくなるに従って露光エネルギーＥが基準エネルギーＥｒから低下していく。ここで、この露光エネルギーＥは、図４に示すように、トナー現像に寄与する（つまり、図４における現像閾値以上の）露光エネルギー密度の空間的（ここでは副走査方向に沿った）積分値（つまり、図４におけるハッチ部分の面積）である。
【００３９】
この実施の形態では、上述の基準径Ｄｒは、複数の発光素子のうちの最もビーム径が小さい発光素子（図５では、ビーム＃１の発光素子）のビーム径の主走査方向における最小値（図５では、基準位置Ｘｒでのビーム径Ｄ１（Ｘｒ））以下の所定値（ここではその最小値）とされる。そして、基準径Ｄｒに対応する基準エネルギーＥｒに近づくように、主走査方向の各位置において各発光素子の発光時間が補正される。つまり、図６に示すように、主走査方向の位置Ｘでのビーム径Ｄｉ（Ｘ）（ｉ＝１，２）に対応して、基準エネルギーＥｒからの露光エネルギーＥの低下分ｄＥｉ（Ｘ）だけ露光エネルギーＥを増加させる時間長だけ発光時間が延長される。
【００４０】
さらに、この実施の形態では、複数の発光素子からの複数の光線が、実潜像ライン位置において、各時点で主走査方向の互いに異なる位置で、感光体ドラム１ａ上に照射されるように、光源２１において複数の発光素子が配置されるようにしてもよい。その場合、コントローラー３１は、（ａ）その複数の光線の照射位置のうちの主走査方向で最も先行している位置に照射される光線の発光素子を先行発光素子として特定し、（ｂ）先行発光素子のために、虚潜像ライン位置で静電潜像を形成する際の１ドットあたりの発光時間の補正量を特定して補正量で先行発光素子の発光時間を補正し、（ｃ）先行発光素子の発光時間の補正量を特定する際に、併せて、当該主走査方向で最も先行している位置での残りの発光素子の発光時間の補正量を特定し、（ｄ）残りの発光素子からの光線の照射位置が当該主走査方向で最も先行している位置に到達したときに、既に特定されている当該残りの発光素子の補正量で当該残りの発光素子の発光時間を補正するようにしてもよい。
【００４１】
例えば図５において、ある時点ｔ１において、先行発光素子の光線照射位置がＸ１であり、残りの発光素子の光線照射位置がＸ２である場合、先行発光素子の発光時間は、ビーム径Ｄ１（Ｘ１）に対応して補正されるが、その際、その位置Ｘ１での残りの発光素子の発光時間の補正量（つまり、ビーム径Ｄ２（Ｘ１）に対応する補正量）も併せて導出される。そして、時点ｔ１においては、残りの発光素子の発光時間は、ビーム径Ｄ２（Ｘ２）に対応して補正されるが、その後の時点ｔ２において、残りの発光素子の光線照射位置がＸ１となるときに、先行発光素子の照射位置がＸ１であった時に事前に導出された上述の補正量で残りの発光素子の発光時間が補正される。
【００４２】
また、その場合、主走査方向の各位置での先行発光素子の発光時間の補正量を示すメイン補正データと、主走査方向の各位置での先行発光素子の発光時間の補正量と残りの発光素子の発光時間の補正量との差または比率を示すサブ補正データとが予め実験などで取得され、図示せぬ記憶装置（内蔵の不揮発性記憶装置など）に記憶させておき、また、露光装置２ａ〜２ｄの環境温度を測定する温度センサーを設置しておき、コントローラー３１は、（ａ）メイン補正データに基づいて、先行発光素子の発光時間の補正量を特定し、（ｂ）その温度センサーにより検出された露光装置２ａ〜２ｄの環境温度に対応する温度補正係数で先行発光素子の発光時間の補正量を補正し、（ｃ）サブ補正データに基づいて、その温度補正係数で補正された先行発光素子の発光時間の補正量から残りの発光素子の発光時間の補正量を特定するようにしてもよい。このようにすることで、先行発光素子の発光時間について温度補正を行うだけで、その温度補正が残りの発光素子の発光時間にも反映されるため、温度補正のための計算量が少なくて済む。
【００４３】
次に、上記画像形成装置の動作について説明する。
【００４４】
コントローラー３１は、プリントすべき画像の画像処理を実行した後、その画像の画像データに従って、露光装置２ａ〜２ｄを制御し、画像形成のためにレーザー光線で感光体ドラム１ａ〜１ｄを露光し、プリントすべき画像に対応する静電潜像を形成する。現像装置３ａはその静電潜像をトナーで現像してトナー像を形成する。そのトナー像は中間転写ベルト４に一次転写され、その後、プリント用紙に二次転写され、定着器９によって定着される。
【００４５】
静電潜像を形成する際、コントローラー３１は、ドライバー回路３２を使用して、光源２１の各発光素子の発光時間を制御する。つまり、図２に示すように、光源２１の各発光素子からの光線は主走査方向に走査され、コントローラー３１は、画像データに従ってドットを形成すべき画素位置（つまり走査位置あるいは照射位置）での発光時間を決定する。
【００４６】
その際、コントローラー３１は、光源２１の各発光素子について、各主走査方向位置Ｘでのビーム径Ｄｉ（Ｘ）（ｉ＝１，２）に対応して、光源２１の複数の発光素子からの光線による露光エネルギー密度分布が互いに一致または最も近づくように、虚潜像ライン位置で静電潜像を形成する際の発光素子の１ドットあたりの発光時間を個別的に補正する。
【００４７】
この実施の形態では、複数の発光素子の主走査方向の照射位置が互いに異なり、上述のように、先行発光素子の照射位置Ｘ１に関する先行発光素子の発光時間の補正量が導出される際に、併せて、その位置Ｘ１での残りの発光素子の発光時間の補正量が導出され、残りの発光素子の照射位置がその位置Ｘ１に到達するまで図示せぬメモリーなどで保持される。
【００４８】
以上のように、上記実施の形態によれば、露光装置２ａ〜２ｄは、実潜像ライン位置で複数の光線を主走査方向に走査しつつ照射して実潜像ライン位置で静電潜像を形成するとともに、複数の実潜像ライン位置で複数の光線を主走査方向に走査しつつ照射して実潜像ライン位置の間の虚潜像ライン位置で静電潜像を形成する。そして、コントローラー３１は、各主走査方向位置でのその複数の発光素子からの光線のビーム径に対応して、その複数の発光素子からの光線による露光エネルギー密度分布が互いに一致または最も近づくように、虚潜像ライン位置で静電潜像を形成する際の発光素子の１ドットあたりの発光時間を個別的に補正する。
【００４９】
これにより、虚潜像ライン位置に隣接する実潜像ライン位置での光線照射による露光エネルギー密度分布が略同一となり、複数の発光素子を使用して実潜像ライン位置で光線照射を行い虚潜像ライン位置での静電潜像を形成する場合における虚潜像ライン位置の位置ずれ（つまり、光源２１の複数の発光素子の光線のビーム径の違いに起因する位置ずれ）が抑制される。
【００５０】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５１】
例えば、上記実施の形態において、主走査方向の走査幅（または感光体ドラム１ａ〜１ｄの幅）を所定の分割数で分割し、その分割で得られた主走査方向の各区間に対応して上述の補正量を導出し、主走査方向の各位置を含む区間に対応する補正量で、主走査方向のその位置での発光時間を補正するようにしてもよい。
【００５２】
また、上記実施の形態において、光源２１の発光素子の数は２つであるが、３つ以上でもよい。
【産業上の利用可能性】
【００５３】
本発明は、例えば、電子写真方式の画像形成装置に適用可能である。
【符号の説明】
【００５４】
１ａ〜１ｄ  感光体ドラム
２ａ〜２ｄ  露光装置
３ａ〜３ｄ  現像装置
３１  コントローラー
【図１】
2020118854.tif 000003
【図２】
2020118854.tif 000004
【図３】
2020118854.tif 000005
【図４】
2020118854.tif 000006
【図５】
2020118854.tif 000007
【図６】
2020118854.tif 000008